【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
グラフィックユーザインタフェースに市況商品に関する情報を表示する方法であって、
グラフィックユーザインタフェースに、複数の興味のある項目を含む、市況商品に関する取引所からのマーケット情報を表示し、興味のある項目の少なくとも１つが価格を表す軸に関連して表示される注文情報であることと、
複数の興味のある項目からの１つの特定の興味のある項目に関連付けられる視覚的なインジケータを軸に関連して表示することと、
更新されたマーケット情報で表示を更新することと、
を含む方法。
【請求項２】
該特定の興味のある項目が市況商品に関連付けられた前回売買量の値であることを特徴とする請求項１に記載の方法。
【請求項３】
該前回売買量の値が前回売買価格と関連して表示され、該前回売買価格が軸上に配置されることを特徴とする請求項２に記載の方法。
【請求項４】
該視覚的なインジケータが、数値、グラフィックインジケータおよび色分けされたセルの少なくとも１つを備えることを特徴とする請求項２に記載の方法。
【請求項５】
該視覚的なインジケータが、前回売買価格でのすべての連続売買の累積量の表示を提供することを特徴とする請求項２に記載の方法。
【請求項６】
該視覚的なインジケータが、表示が更新されるにつれて前回売買量と関連付けられる価格の変化の表示を提供するために色分けされることを特徴とする請求項２に記載の方法。
【請求項７】
該視覚的なインジケータが、興味のある項目について追加情報を提供するために色分けされることを特徴とする請求項１に記載の方法。
【請求項８】
該視覚的なインジケータが、表示が更新されるにつれて興味のある項目と関連付けられる価格が上昇するときにグラフィックユーザインタフェースに第１の色で提示され、視覚的インジケータが、表示が更新されるにつれて興味のある項目と関連付けられる価格が下降するときに第２の色で提示されることを特徴とする請求項７に記載の方法。
【請求項９】
該興味のある項目が、前回売買量、前回売買価格、場内市場、運用注文、総運用量、運用注文の平均価格、運用注文の正味価格、および量が表示されない価格を含む群から選択されることを特徴とする請求項７に記載の方法。
【請求項１０】
該視覚的なインジケータが動的インジケータであることを特徴とする請求項１に記載の方法。
【請求項１１】
該グラフィックユーザインタフェースが、軸と関連して表示される少なくとも１つの動的インジケータ列を含むことを特徴とする請求項１０に記載の方法。
【請求項１２】
該動的インジケータが、該少なくとも１つの動的インジケータ列内で色分けされたセルであることを特徴とする請求項１１に記載の方法。
【請求項１３】
該動的インジケータがソフトウェアアプリケーションから埋め込まれることを特徴とする請求項１０に記載の方法。
【請求項１４】
該ソフトウェアアプリケーションが、スプレッドシートアプリケーションであり、該方法がスプレッドシートアプリケーション内のセルに動的インジケータをリンクすることをさらに含むことを特徴とする請求項１３に記載の方法。
【請求項１５】
該セルが式を含むことを特徴とする請求項１４に記載の方法。
【請求項１６】
該セルが数字を含むことを特徴とする請求項１４に記載の方法。
【請求項１７】
該動的インジケータをセルにリンクするステップにより、セルに関連付けられた値が変更すると、動的インジケータの位置が変更されることを特徴とする請求項１４に記載の方法。
【請求項１８】
該動的インジケータをセルにリンクするステップにより、動的インジケータに関連するマーケット情報をセルに表示させることを特徴とする請求項１４に記載の方法。
【請求項１９】
該視覚的なインジケータが、運用注文の平均価格が表示されるグラフィックユーザインタフェース内の少なくとも１つのセルを含むことを特徴とする請求項１に記載の方法。
【請求項２０】
該少なくとも１つのセルが、平均運用購入価格を表示する第１のセルを含むことを特徴とする請求項１９に記載の方法。
【請求項２１】
該少なくとも１つのセルが、平均運用販売価格を表示する第２のセルをさらに含むことを特徴とする請求項２０に記載の方法。
【請求項２２】
該グラフィックユーザインタフェースが複数のセルを含み、視覚的なインジケータが該複数のセルの１つの少なくとも一部を占めることを特徴とする請求項１に記載の方法。
【請求項２３】
該グラフィックユーザインタフェースを使用して市況商品を注文するステップをさらに含むことを特徴とする請求項１に記載の方法。
【請求項２４】
請求項１に記載の方法を実行するために命令の集合を用いてプログラミングされたプロセッサ。
【請求項２５】
プロセッサによって実行されるときに、請求項１に記載の方法を実行する命令の集合を含む記憶媒体。
【請求項２６】
グラフィックユーザインタフェースに市況商品に関係する情報を表示する方法であって、
価格を表す軸に関連して表示される注文情報を含む、取引所からの市況商品に関係するマーケット情報をグラフィックユーザインタフェースに表示することと、
軸に対してグラフィックユーザインタフェースに、市況商品の前回売買量値の表示を提供するマーカを表示することと、
を含む方法。
【請求項２７】
グラフィックユーザインタフェースに市況商品に関係する情報を表示する方法であって、
グラフィックユーザインタフェース上に、価格を表す軸に関連して表示される注文情報を含む、市況商品に関係する取引所からのマーケット情報を表示することと、
ソフトウェアアプリケーションに関連付けられる少なくとも１つの動的インジケータを含むマーカを、軸に対してグラフィックユーザインタフェースに表示することと、
を含む方法。
【請求項２８】
マーケット情報に基づいてソフトウェアアプリケーション内の情報を更新するステップをさらに含む、請求項２７に記載の方法。
【請求項２９】
該グラフィックユーザインタフェースが、軸に関連付けられる少なくとも１つの動的インジケータ列を含み、マーカが少なくとも１つの動的インジケータ列内に表示されることを特徴とする請求項２７に記載の方法。
【請求項３０】
該動的インジケータが軸上の特定の価格と関連付けられることを特徴とする請求項２７に記載の方法。
【請求項３１】
該動的インジケータがユーザに情報を提供するために色分けされることを特徴とする請求項２７に記載の方法。
【請求項３２】
グラフィックユーザインタフェースを使用して取引所の市況商品をモニタする方法であって、
グラフィックユーザインタフェースに、価格を表す軸に関連して表示される注文情報を含む、市況商品に関する取引所からのマーケット情報を表示することと、
グラフィックユーザインタフェースに、市況商品の運用量の平均価格の表示を提供するマーカを表示することと、
を含む方法。
【請求項３３】
グラフィックユーザインタフェースに、市況商品に関係する情報を表示する方法であって、
グラフィックユーザインタフェースに、市況商品に関係する取引所からのマーケット情報を表示し、該マーケット情報が、価格を表す軸に関連して表示される少なくとも１つの付け値量と少なくとも１つの言い値量を含む、興味のある項目を含むことと、
特定の興味のある項目に関連付けられる視覚的なインジケータを軸に関連して表示することと、
更新されたマーケット情報で表示を更新することと、
を含む方法。
【請求項３４】
グラフィックユーザインタフェースに、市況商品に関係する情報を表示する方法であって、
価格軸に関連して表示される、市況商品の場内市場に関係する情報を表示することと、
価格軸に関連して市況商品のマーケットの深さの少なくとも一部を表示することと、
市況商品に関係する情報を表すマーカを、価格軸に関連して表示することと、
を含む方法。
【請求項３５】
グラフィックユーザインタフェースに、市況商品に関係するマーケット情報を表示する方法であって、
市況商品に対する複数の注文に関係する情報を表示することと、
市況商品についての情報を表すインジケータを表示することと、
を含み、
複数の注文に関係する情報およびインジケータが、１つの共通した価格軸に対してグラフィックユーザインタフェースに表示されることを特徴とする方法。
【請求項３６】
該複数の注文に関係する情報が、ユーザによって入力される少なくとも１つの運用注文を含むことを特徴とする請求項３５に記載の方法。
【請求項３７】
該グラフィックユーザインタフェースを使用して市況商品を注文するステップをさらに含むことを特徴とする請求項３５に記載の方法。
【請求項３８】
ユーザインタフェースに売買の対象に関係する情報を表示する方法を実行するために、プロセッサによる実行のためにその上にプログラムコードが記録されるコンピュータ読み取り可能媒体であって、該方法が
グラフィックユーザインタフェースに、対象に関係する取引所からのマーケット情報を表示し、該マーケット情報が価格を表す軸に関連して表示される少なくとも１つの付け値量と少なくとも１つの言い値量を含む、興味のある項目を含むことと、
特定の興味のある項目に関連する視覚的なインジケータを軸に関連して表示することと、
を含む方法。
【請求項３９】
市況商品に関してユーザインタフェースに情報を表示する方法を実行するために命令の集合でプログラミングされたプロセッサであって、該方法が
市況商品についての複数の注文に関係する情報を表示することと、
市況商品についての情報を表すインジケータを表示することと、
を含み、
複数の注文に関係する情報およびインジケータが、価格の共通軸に対してグラフィックユーザインタフェースに表示されることを特徴とするプロセッサ。
【請求項４０】
市況商品についての情報を表示するためのグラフィックユーザインタフェースを含むワークステーションであって、
グラフィックユーザインタフェースに、市況商品に関係する取引所からのマーケット情報を表示するための手段であって、該マーケット情報が価格を表す軸に関連して表示される注文情報を含む手段と、
軸に対してグラフィックユーザインタフェースにマーカを表示するための手段と、
を含むワークステーション。
【請求項４１】
市況商品を注文するための手段をさらに含むことを特徴とする請求項４０に記載のワークステーション。
【請求項４２】
該注文情報が、最良の付け値価格と最良の言い値価格を含むことを特徴とする請求項４０に記載のワークステーション。
【請求項４３】
該注文情報が、最良の付け値価格に関連付けられる付け値量と、最良の言い値価格に関連付けられる言い値量をさらに含むことを特徴とする請求項４２に記載のワークステーション。
【請求項４４】
該マーカが前回売買量の値を表すことを特徴とする請求項４０に記載のワークステーション。
【請求項４５】
マーカを表示するための手段がカラーモニタを含むことを特徴とする請求項４０に記載のワークステーション。
【請求項４６】
グラフィックユーザインタフェースに、市況商品に関係する情報を自動的に位置決めする方法であって、
電子取引所から市況商品に関係するマーケット情報を受信し、該マーケット情報が、それぞれの興味のある項目が価格に関連付けられる、複数の興味のある項目を含むことと、
それぞれの位置が静的な価格軸の少なくとも一部に沿った価格レベルに対応するように配置される複数の位置を含む情報表示領域を表示することと、
第１のときに、各インジケータが興味のある項目に関連付けられる複数のインジケータを表示し、各インジケータが、興味がある項目に関連付けられる価格レベルに対応する情報表示領域内の複数の位置の１つに表示されることと、
情報表示領域の複数の場所が第２のときに静的価格軸の別の部分に対応するように、所定の状況を検出すると静的価格軸を自動的に再配置することと、
を含み、
複数のインジケータのそれぞれが、該インジケータに関連付けられる静的価格軸上の価格レベルに対応する情報表示領域内の新しい位置に移動することを特徴とする方法。
【請求項４７】
該所定の状況がそれぞれの自動再配置の間の時間を定める時間期間を含むことを特徴とする請求項４６に記載の方法。
【請求項４８】
再配置のための基礎として興味のある特定の項目を選択するステップをさらに含み、該自動的に再配置するステップが、特定の興味のある項目に関連付けられる価格レベルが第２のときに情報表示領域の特定の位置に対応するように静的価格軸を再配置することをさらに含む請求項４６に記載の方法。
【請求項４９】
該自動的に再配置するステップの結果、付け値表示領域と言い値表示領域の実質的に中心に位置決めされる付け値表示領域と言い値表示領域の位置に対応する市況商品の前回売買と関連付けられる価格レベルが生じることを特徴とする請求項４６に記載の方法。
【請求項５０】
その中に請求項４６に記載の方法を実行するための命令が記憶されるコンピュータ読み取り可能媒体。
【請求項５１】
グラフィックユーザインタフェースに市況商品に関係するマーケット情報を自動的に再配置するための方法であって、
トレーディングインタフェース内の静的スケールに対してマーケット情報を含む複数の興味のある項目を表示することと、
複数の興味のある項目を自動的に位置決めするための基礎として複数の興味のある項目から少なくとも１つの項目を識別することと、
マーケット情報が変化するにつれて、トレーディングインタフェースの表示を更新し、それにより複数の興味のある項目の内の１つまたは複数が静的スケールに対して移動することと、
特定された興味のある項目に応答して複数の興味のある項目を自動的に再配置することと、
を含む方法。
【請求項５２】
グラフィックユーザインタフェースに複数の市況商品に関係する情報を再配置するための方法であって、
第１の市況商品に関係するマーケット情報を受け取り、該マーケット情報が、それぞれの興味のある項目が価格と関連付けられる複数の興味のある項目を含むことと、
第２の市況商品に関係するマーケット情報を受け取り、該マーケット情報が、それぞれの興味がある項目が価格と関連付けられる複数の興味のある項目を含むことと、
第１の市況商品と関連付けられる第１の情報表示領域を表示し、各位置が第１のときに第１の静的価格軸の少なくとも一部に沿った価格レベルに対応するように配置される複数の位置を含むことと、
第２の市況商品に関連付けられる第２の情報表示領域を表示し、それぞれの位置が第１のときに第２の静止価格軸の少なくとも一部に沿った価格レベルに対応するように配置される複数の位置を含むことと、
第１の複数のインジケータを表示し、それぞれのインジケータが第１の市況商品に関係する興味のある項目に関連付けられ、それぞれのインジケータが、興味のある項目に関連付けられる価格レベルに対応する第１の情報表示領域の複数の位置の１つに表示されることと、
第２の複数のインジケータを表示し、それぞれのインジケータが第２の市況商品に関係する興味のある項目に関連付けられ、それぞれのインジケータが、興味がある項目に関連付けられる価格レベルに対応する第２の情報表示領域の複数の位置の１つに表示されることと、
情報表示領域の１つを再配置するためのコマンドを受け取ることと、
該再配置コマンドに応答して、第２のときに、第１の複数のインジケータのそれぞれが、インジケータに関連付けられる第１の静的価格軸上の価格レベルに対応する第１の情報表示領域内の新しい位置に移動され、第２の複数のインジケータのそれぞれがインジケータと関連付けられる第２の静的価格軸上の価格レベルに対応する情報表示領域内の新しい位置に移動されるように、第１と第２の静的価格軸を再配置することと、
を含む方法。
【請求項５３】
グラフィックユーザインタフェースに複数の市況商品に関係する情報を再配置するための方法であって、
複数の市況商品に関係するマーケット情報を受信し、該マーケット情報がそれぞれの興味のある項目が価格と関連付けられる複数の興味がある項目を含むことと、
複数のインジケータの第１のビューを表示し、各インジケータが市況商品の１つと関連付けられる興味のある項目を表し、各インジケータが複数の静的価格軸の１つの第１の部分に関連して表示され、各静的価格軸が異なる市況商品に対応することと、
複数の市況商品をリンクすることと、
マスタ市況商品を選択することと、
マスタ市況商品を再配置するコマンドを受信することに応答して、リンクされた市況商品に関連付けられる興味のある項目を表す複数のインジケータの第２のビューが表示されるように、リンクされた市況商品の１つと対応するそれぞれの静的価格軸を再配置し、このような複数のインジケータがさまざまな位置に表示されることと、
を含む方法。
【請求項５４】
ユーザインタフェースに、市況商品に関係する情報を提示するための方法であって、
ユーザインタフェースに情報を表示することと、
再配置イベントが発生したかどうかを判断することと、
再配置イベント発生時に、情報に基づいて中間点を決定することと、
中間点でインジケータを表示することと、
を含む方法。
【請求項５５】
該情報が行と列を含むグリッドに表示され、グリッドの各行が静的価格軸上の価格レベルに関連付けられることを特徴とする請求項５４に記載の方法。
【請求項５６】
該中間点が最高の付け値価格と最低の売り値価格の間の距離の２分の１に相当することを特徴とする請求項５４に記載の方法。
【請求項５７】
該中間点が、興味がある項目に依存することを特徴とする請求項５４に記載の方法。
【請求項５８】
該再配置イベントが、場内市場の回りでユーザインタフェースに情報をセンタリングすることを含むことを特徴とする請求項５４に記載の方法。
【請求項５９】
該第１及び第２の市況商品のうちの一方をマスタとして選択するステップをさらに含み、該再配置のコマンドが受信される情報表示領域の１つは該マスタ市況商品に関連づけられる情報表示領域を含む請求項５２に記載の方法。
【請求項６０】
再配置を目的として該第１及び第２の情報表示領域をリンクするステップをさらに含む請求項５２に記載の方法。
【請求項６１】
追加の市況商品に関するマーケット情報を受信することと、各追加の市況商品に関連しかつ各々が追加の静的価格軸に関連づけられる追加の情報表示領域を表示すること、をさらに含む請求項５２に記載の方法。
【請求項６２】
該マスタ市況商品に関連づけられる情報表示領域を再配置するコマンドに応答して該追加の静的価格軸を再配置することをさらに含む請求項６１に記載の方法。
【請求項６３】
該第１の市況商品と、該第２の市況商品と、該追加の市況商品とを含む群から選択される少なくとも幾つかの市況商品を再配置を目的としてリンクすることをさらに含む請求項６１に記載の方法。
【請求項６４】
請求項５２に記載の方法を実行する命令を格納しているコンピュータ読み取り可能媒体。
【請求項６５】
該情報表示領域の１つを再配置するコマンドは手動コマンドを含むことを特徴とする請求項５２に記載の方法。
【請求項６６】
該情報表示領域の１つを再配置するコマンドは自動コマンドを含むことを特徴とする請求項５２に記載の方法。
【請求項６７】
該第１及び第２の静的価格軸の少なくとも一部を表示することをさらに含む請求項５２に記載の方法。
【請求項６８】
該第１の情報表示領域は第１の窓に表示され、該第２の情報表示領域は第２の窓に表示されることを特徴とする請求項５２に記載の方法。
【請求項６９】
該第１の情報表示領域は第１の付け値表示領域及び第１の言い値表示領域を備え、該第２の情報表示領域は第２の付け値表示領域及び第２の言い値表示領域を備えることを特徴とする請求項５２に記載の方法。
【請求項７０】
該第１の複数のインジケータは、該第１の市況商品の市場で現在利用可能な最高の付け値価格に関連づけられる量を表す第１の最高付け値インジケータと、該第１の市況商品の市場で現在利用可能な最低の言い値価格に関連づけられる量を表す第１の最低言い値インジケータと、を備えることを特徴とする請求項６９に記載の方法。
【請求項７１】
該第２の複数のインジケータは、該第２の市況商品の市場で現在利用可能な最高の付け値価格に関連づけられる量を表す第２の最高付け値インジケータと、該第２の市況商品の市場で現在利用可能な最低の言い値価格に関連づけられる量を表す第２の最低言い値インジケータと、を備えることを特徴とする請求項７０に記載の方法。
【請求項７２】
該第１及び第２の価格軸を再配置するステップは、該関連づけられる市況商品の場内市場が実質的に各情報表示領域の中心に表示されるように各静的価格軸を移動させることを含むことを特徴とする請求項７１に記載の方法。
【請求項７３】
複数の位置を含む第１の前回売買表示領域を表示するステップをさらに含み、該各位置は該第１の静的価格軸に沿った価格に対応し、
複数の位置を含む第２の前回売買表示領域を表示するステップをさらに含み、該各位置は該静的価格軸に沿った価格レベルに対応する請求項５２に記載の方法。
【請求項７４】
第１の前回売買インジケータを該第１の前回売買表示領域内の１つの位置に表示するステップをさらに含み、該第１の前回売買インジケータは該第１の市況商品の前回売買を表し、
第２の前回売買インジケータを該第２の前回売買表示領域内の１つの位置に表示するステップをさらに含み、該第２の前回売買インジケータは該第２の市況商品の前回売買を表す請求項７３に記載の方法。
【請求項７５】
該第１及び第２の価格軸を再配置するステップは、該関連づけられる市況商品の前回売買インジケータが実質的に各情報表示領域の中心に表示されるように各静的価格軸を移動させることを含むことを特徴とする請求項７４に記載の方法。
【請求項７６】
興味のある特定の項目を再配置のための基礎として選択するステップをさらに含み、該第１及び第２の価格軸を再配置するステップは、該興味のある特定の項目に関連づけられる価格レベルが該第２のときに該情報表示領域の特定の位置に対応するように該第１及び第２の価格軸を再配置することをさらに含む請求項５２に記載の方法。
【請求項７７】
該興味のある特定の項目は最高の付け値価格に関連づけられることを特徴とする請求項７６に記載の方法。
【請求項７８】
該興味のある特定の項目は最低の言い値価格に関連づけられることを特徴とする請求項７６に記載の方法。
【請求項７９】
該興味のある特定の項目は前回売買価格に関連づけられることを特徴とする請求項７６に記載の方法。
【請求項８０】
該第２のときの各情報表示領域の特定の位置は実質的に該各情報表示領域の中心に位置付けられる位置を含むことを特徴とする請求項７６に記載の方法。
【請求項８１】
該第１の市況商品に関する注文を送るコマンドを受信するための複数の位置を備える第１の注文入力領域を表示することをさらに含み、該複数の位置は各位置が該第１の価格軸の部分に沿った価格レベルに対応するように配置され、
該第２の市況商品に関する注文を送るコマンドを受信するための複数の位置を備える第２の注文入力領域を表示することをさらに含み、該複数の位置は各位置が該静的価格軸の部分に沿った価格レベルに対応するように配置される請求項６９に記載の方法。
【請求項８２】
該第１及び第２の注文入力領域は各々、付け値注文入力領域と言い値注文入力領域とを備えることを特徴とする請求項８１に記載の方法。
【請求項８３】
該付け値注文入力領域は該付け値表示領域と重複し、該言い値注文入力領域は該言い値表示領域と重複することを特徴とする請求項８２に記載の方法。
【請求項８４】
該付け値注文入力領域のうちの１つにおける特定の位置を選択するユーザ入力デバイスのアクションに応答して、該関連づけられる市況商品の買い注文を電子取引所へ送信することをさらに含む請求項８２に記載の方法。
【請求項８５】
該言い値注文入力領域のうちの１つにおける特定の位置を選択するユーザ入力デバイスのアクションに応答して、該関連づけられる市況商品の売り注文を電子取引所へ送信することをさらに含む請求項８２に記載の方法。
【請求項８６】
複数の市況商品に関する情報をグラフィック・ユーザ・インタフェース上で再配置するための方法であって、
複数の市況商品に関するマーケット情報を受信することを含み、該マーケット情報は複数の興味のある項目を含み、該各興味のある項目は価格に関連づけられ、
複数の情報表示領域を表示することを含み、該複数の情報表示領域の各々は該市況商品のうちの１つに関連づけられ、かつ各位置が第１のときに静的価格軸の少なくとも一部分に沿った価格レベルに対応するように配置される複数の位置を備え、
該複数の情報表示領域の各々に複数のインジケータを表示することを含み、該各インジケータは該市況商品のうちの１つに関連づけられる興味のある項目を表し、該各インジケータは該興味のある項目に関連づけられる価格レベルに対応する情報表示領域のうちの１つの複数の位置のうちの１つに表示され、
該情報を該複数の情報表示領域内で再配置するコマンドを受信することと、
該コマンドに応答して該複数の情報表示領域を再配置すること、を含み、該各静的価格軸は該関連づけられる情報表示領域の複数の位置が第２のときに該静的価格軸の異なる部分に対応するように再配置され、
該複数のインジケータは該情報表示領域の各々において、該各インジケータが該インジケータに関連づけられる静的価格軸上の価格レベルに対応する新しい位置に存在するように移動される方法。
【請求項８７】
請求項８６に記載の方法を実行する命令を格納しているコンピュータ読み取り可能媒体。
【請求項８８】
該複数の情報表示領域の各々は別々の窓に表示されることを特徴とする請求項８６に記載の方法。
【請求項８９】
請求項５３に記載の方法を実行する命令を格納しているコンピュータ読み取り可能媒体。
【請求項９０】
該各市況商品は、該市況商品に関連づけられる複数のインジケータを該対応する静的価格軸に関連して表示する異なる窓によって表されることを特徴とする請求項５３に記載の方法。
【請求項９１】
複数の市況商品に関するマーケット情報を表示するための方法であって、
各市況商品のための窓を表示することを含み、該窓は興味のある項目を表す複数のインジケータを備え、該インジケータは静的価格スケールに関連して表示及び配置され、
該窓をリンクすることと、
該複数の興味のある項目から、該インジケータを該リンクされる窓において位置付けするためのベースとして第１の興味のある項目を識別することと、
該第１の興味ある項目が該窓のうちの少なくとも１つにおいて予め決められた位置へ移動すると、該リンクされる窓の各々において該インジケータを再配置すること、を含む方法。
【請求項９２】
該予め決められた条件は、該興味のある特定の項目に関連づけられるインジケータが表示される情報表示領域における特定の位置に関連づけられることを特徴とする請求項４８に記載の方法。
【請求項９３】
該興味のある特定の項目は市場で利用可能な市況商品の最高の付け値価格を含むことを特徴とする請求項４８に記載の方法。
【請求項９４】
該予め決められた条件は、該興味のある特定の項目に関連づけられるインジケータが表示される情報表示領域における特定の位置に関連づけられることを特徴とする請求項９３に記載の方法。
【請求項９５】
該興味のある特定の項目は市場で利用可能な市況商品の最低の言い値価格を含むことを特徴とする請求項４８に記載の方法。
【請求項９６】
該予め決められた条件は、該興味のある特定の項目に関連づけられるインジケータが表示される情報表示領域における特定の位置に関連づけられることを特徴とする請求項９５に記載の方法。
【請求項９７】
該興味のある特定の項目は該市況商品の前回売買価格を含むことを特徴とする請求項４８に記載の方法。
【請求項９８】
該予め決められた条件は、該興味のある特定の項目に関連づけられるインジケータが表示される情報表示領域における特定の位置に関連づけられることを特徴とする請求項９７に記載の方法。
【請求項９９】
該第２のときの該情報表示領域の特定の位置は実質的に該情報表示領域の中心に位置付けられる位置を備えることを特徴とする請求項４８に記載の方法。
【請求項１００】
該情報表示領域は、各位置が第１のときに該静的価格軸の少なくとも一部分に沿った価格レベルに対応するように配置される複数の位置を備える付け値表示領域と、各位置が第１のときに該静的価格軸の部分に沿った価格レベルに対応するように配置される複数の位置を備える言い値表示領域と、を備えることを特徴とする請求項４６に記載の方法。
【請求項１０１】
該複数のインジケータは、市場で現在利用可能な最高の付け値価格に関連づけられる量を表す第１のインジケータと、市場で現在利用可能な最低の言い値価格に関連づけられる量を表す第２のインジケータと、を備えることを特徴とする請求項１００に記載の方法。
【請求項１０２】
該第１のインジケータは該付け値表示領域の複数の位置のうちの１つに表示され、該第２のインジケータは該言い値表示領域の複数の位置のうちの１つに表示されることを特徴とする請求項１０１に記載の方法。
【請求項１０３】
該自動的に再配置するステップは、結果的に該第１及び第２のインジケータを各々実質的に該付け値及び言い値表示領域の中心に表示させることを特徴とする請求項１０１に記載の方法。
【請求項１０４】
該自動的に再配置するステップは、結果的に実質上該付け値表示領域の中心に位置付けられる付け値表示領域内の位置を該最高の付け値価格と該最低の言い値価格との中間点に関連づけられる価格レベルに対応させることを特徴とする請求項１０１に記載の方法。
【請求項１０５】
該自動的に再配置するステップは、結果的に実質上該言い値表示領域の中心に位置付けられる言い値表示領域内の位置を該最高の付け値価格と該最低の言い値価格との中間点に関連づけられる価格レベルに対応させることを特徴とする請求項１０１に記載の方法。
【請求項１０６】
該自動的に再配置するステップは、結果的に該市況商品の前回売買に関連づけられる価格レベルを実質上該付け値及び言い値表示領域の中心に位置付けられる付け値及び言い値表示領域の位置に対応させることを特徴とする請求項１０１に記載の方法。
【請求項１０７】
各位置が該第１のときに該静的価格軸の部分に沿った価格レベルに対応するように配置される複数の位置を備える前回売買表示領域を表示するステップをさらに含む請求項１００に記載の方法。
【請求項１０８】
該複数のインジケータは該市況商品が前回売買された価格レベルに関連づけられる前回売買インジケータをさらに備えることを特徴とする請求項１０７に記載の方法。
【請求項１０９】
該前回売買インジケータは該前回売買表示領域の複数の位置のうちの１つに表示されることを特徴とする請求項１０８に記載の方法。
【請求項１１０】
買い注文を送るコマンドを受信するための複数の位置を備える付け値注文入力領域を表示することをさらに含み、該複数の位置は各位置が該第１のときに該静的価格軸の部分に沿った価格レベルに対応するように配置され、
売り注文を送るコマンドを受信するための複数の位置を含む言い値注文入力領域を表示することをさらに含み、該複数の位置は各位置が該第１のときに該静的価格軸の部分に沿った価格レベルに対応するように配置される請求項１００に記載の方法。
【請求項１１１】
該付け値注文入力領域は該付け値表示領域と重複し、該言い値注文入力領域は該言い値表示領域と重複することを特徴とする請求項１１０に記載の方法。
【請求項１１２】
該付け値注文入力領域内の特定の位置を選択するユーザ入力デバイスのアクションを基礎として、該市況商品に関する買い注文を該電子取引所へ送信することをさらに含む請求項１１０に記載の方法。
【請求項１１３】
該言い値注文入力領域内の特定の位置を選択するユーザ入力デバイスのアクションを基礎として、該市況商品に関する売り注文を該電子取引所へ送信することをさらに含む請求項１１０に記載の方法。
【請求項１１４】
該予め決められた条件は、該興味のある特定の項目に関連づけられるインジケータが表示される情報表示領域における特定の位置に関連づけられることを特徴とする請求項４６に記載の方法。
【請求項１１５】
該予め決められた条件は、実質的に該情報表示領域の中心に位置決めされる位置に関する特定の位置にさらに関連づけられることを特徴とする請求項１１４に記載の方法。
【請求項１１６】
該予め決められた条件は、ビュー内の該最高の価格レベルに対応する情報表示領域の位置に関する特定の位置にさらに関連づけられることを特徴とする請求項１１４に記載の方法。
【請求項１１７】
該予め決められた条件は、ビュー内の該最低の価格レベルに対応する情報表示領域の位置に関する特定の位置にさらに関連づけられることを特徴とする請求項１１４に記載の方法。
【請求項１１８】
共通の静的価格軸の少なくとも一部分を表示するステップをさらに含む請求項１１４に記載の方法。
【請求項１１９】
該複数の興味のある項目を自動的に再配置するステップは、該識別される興味のある項目が該売買インタフェース内で予め決められた位置へ移動すると該静的スケール及び該複数の興味のある項目を移動させることを含むことを特徴とする請求項５１に記載の方法。
【請求項１２０】
該複数の興味のある項目を自動的に再配置するステップは、タイマが予め決められた時刻に到達すると該静的スケール及び該複数の興味のある項目を移動させることを含むことを特徴とする請求項５１に記載の方法。